(57)【要約】【課題】工事中でも自宅内でトイレを使用することができる共用排水管の交換方法を提供する。【解決手段】共用排水管の交換方法は、交換対象の共用排水管の代替として使用する仮共用排水管を設定する仮共用排水管設定工程と、前記集合住宅の住戸のトイレ室の便器の代替として使用する仮便器を同一住戸内に設定する仮便器設定工程と、前記仮便器に汚水圧送ポンプを接続する汚水圧送ポンプ接続工程と、前記汚水圧送ポンプの排出口と前記仮共用排水管を仮設ホース又は仮設配管で接続する仮設ホース接続工程と、前記集合住宅の共用排水管を新しい共用排水管に交換する共用排水管交換工程と、前記トイレ室の便器を元の位置に戻し新しい共用排水管に接続する便器復旧工程と、を有する。【選択図】図１
2014227813.tif 000002
【特許請求の範囲】
【請求項１】
集合住宅における共用排水管の交換方法において、
交換対象の共用排水管の代替として使用する仮共用排水管を設定する仮共用排水管設定工程と、
前記集合住宅の住戸のトイレ室の便器の代替として使用する仮便器を同一住戸内に設定する仮便器設定工程と、
前記仮便器に汚水圧送ポンプを接続する汚水圧送ポンプ接続工程と、
前記汚水圧送ポンプの排出口と前記仮共用排水管を仮設ホース又は仮設配管で接続する仮設ホース接続工程と、
前記集合住宅の共用排水管を新しい共用排水管に交換する共用排水管交換工程と、
前記トイレ室の便器を元の位置に戻し新しい共用排水管に接続する便器復旧工程と、
を有する集合住宅における共用排水管の交換方法。
【請求項２】
請求項１記載の共用排水管の交換方法において、
前記仮共用排水管設定工程において、前記集合住宅の外壁に沿って立て管である仮設共用排水管を設置し、該仮設共用排水管を前記仮共用排水管として設定することを特徴とする共用排水管の交換方法。
【請求項３】
請求項１記載の共用排水管の交換方法において、
前記仮共用排水管設定工程において、交換対象の共用排水管以外の既存の他の共用排水管を仮共用排水管として設定することを特徴とする共用排水管の交換方法。
【請求項４】
請求項１記載の共用排水管の交換方法において、
前記仮便器設定工程において、前記集合住宅の住戸のトイレ室の便器を同一住戸内の他の場所に移設し、該移設した便器を前記仮便器として設定することを特徴とする共用排水管の交換方法。
【請求項５】
請求項１記載の共用排水管の交換方法において、
前記仮便器設定工程において、前記集合住宅の住戸のトイレ室の便器を同一住戸内の他の場所に移設し、該移設した便器とは別の便器を前記仮便器として設定することを特徴とする共用排水管の交換方法。
【請求項６】
請求項１記載の共用排水管の交換方法において、
前記共用排水管交換工程において、交換対象の前記共用排水管を使用している全ての階の住戸にて同時に行うことを特徴とする共用排水管の交換方法。
【発明の詳細な説明】
【技術分野】
【０００１】
本発明は、集合住宅における共用排水管の交換方法に関し、特に、高層集合住宅に好適な共用排水管の交換方法に関する。
【背景技術】
【０００２】
集合住宅が老朽化すると、大規模修繕が必要となる。大規模修繕のうち、共用排水管の交換工事が最も困難を伴う。共用排水管には、トイレ、風呂、台所、洗面台等からの排水管が接続されている。交換対象となる共用排水管に接続されている住戸では、数日間にわたる工事中は、これらの設備の使用ができない。これらの設備のうち、トイレの使用ができないことが最も重要な問題である。そのため、地上階等に工事現場で使われるような仮設トイレを設置し、そこで用を足している。
【先行技術文献】
【特許文献】
【０００３】
【特許文献１】特開平１１−２７０１６５号公報
【発明の概要】
【発明が解決しようとする課題】
【０００４】
近年、集合住宅における高齢化がすすみ、居住者に自宅以外の場所でトイレの使用を求めることが困難となっている。自宅以外の場所でトイレを使用するにより、居住者は肉体的疲労ばかりでなく、衛生上の不安と精神的なストレスを抱えることとなる。
【０００５】
５階程度の低層集合住宅の場合には、配管やトイレを毎夕方には仮復旧し、夜間は自宅のトイレが使えるような工法を用いる場合もある。しかしながら、高層集合住宅の場合には、毎夕仮復旧をすることは、工事の効率を著しく悪くさせることとなり、事実上不可能である。
【０００６】
本発明の目的は、工事中でも自宅内でトイレを使用することができる共用排水管の交換方法を提供することにある。
【課題を解決するための手段】
【０００７】
本発明の実施形態によると、集合住宅における共用排水管の交換方法において、
交換対象の共用排水管の代替として使用する仮共用排水管を設定する仮共用排水管設定工程と、
前記集合住宅の住戸のトイレ室の便器の代替として使用する仮便器を同一住戸内に設定する仮便器設定工程と、
前記仮便器に汚水圧送ポンプを接続する汚水圧送ポンプ接続工程と、
前記汚水圧送ポンプの排出口と前記仮共用排水管を仮設ホース又は仮設配管で接続する仮設ホース接続工程と、
前記集合住宅の共用排水管を新しい共用排水管に交換する共用排水管交換工程と、
前記トイレ室の便器を元の位置に戻し新しい共用排水管に接続する便器復旧工程と、
を有する。
【０００８】
本実施形態によると前記共用排水管の交換方法において、前記仮共用排水管設定工程において、前記集合住宅の外壁に沿って立て管である仮設共用排水管を設置し、該仮設共用排水管を前記仮共用排水管として設定してよい。
【０００９】
本実施形態によると前記共用排水管の交換方法において、前記仮共用排水管設定工程において、交換対象の共用排水管以外の既存の他の共用排水管を仮共用排水管として設定してよい。
【００１０】
本実施形態によると前記の共用排水管交換方法において、前記仮便器設定工程において、前記集合住宅の住戸のトイレ室の便器を同一住戸内の他の場所に移設し、該移設した便器を前記仮便器として設定してよい。
【００１１】
本実施形態によると前記共用排水管の交換方法において、前記仮便器設定工程において、前記集合住宅の住戸のトイレ室の便器を同一住戸内の他の場所に移設し、該移設した便器とは別の便器を前記仮便器として設定してよい。
【００１２】
本実施形態によると前記共用排水管の交換方法において、前記共用排水管交換工程において、交換対象の前記共用排水管を使用している全ての階の住戸にて同時に行ってよい。
【００１３】
本実施形態によると、前記共用排水管の交換方法において、前記汚水圧送ポンプは、回転式破砕カッターを備えてよい。
【００１４】
本実施形態によると、前記共用排水管の交換方法において、前記汚水圧送ポンプは、口径が20〜35mmの排出口を備えてよい。
【発明の効果】
【００１５】
本発明によれば、共用排水管の交換工事中でも自宅内でトイレを使用することができる利点がある。
【図面の簡単な説明】
【００１６】
【図１】図１は、本発明の実施形態に係る共用排水管の交換方法の概念を示す説明図である。
【図２】図２は、本発明の実施形態に係る共用排水管の交換方法の工程の一例を示す説明図である。
【図３Ａ】図３Ａは、共用排水管の交換工事を行う集合住宅の住戸の間取りの例を説明する図である。
【図３Ｂ】図３Ｂは、本実施形態に係る共用排水管の交換方法において、仮設共用排水管を設置し、便器を移設した状態を示す図である。
【図３Ｃ】図３Ｃは、本実施形態に係る共用排水管の交換方法において、仮設共用排水管を設置し、仮設用の便器を設置した状態を示す図である。
【図４Ａ】図４Ａは、本実施形態に係る共用排水管の交換方法において、工事前の便器（床排水タイプ）の使用状態を説明する図である。
【図４Ｂ】図４Ｂは、本実施形態に係る共用排水管の交換方法において、便器（床排水タイプ）を移設する工程を説明する図である。
【図４Ｃ】図４Ｃは、本実施形態に係る共用排水管の交換方法において、移設した便器（床排水タイプ）を使用する状態を説明する図である。
【図５Ａ】図５Ａは、本実施形態に係る共用排水管の交換方法において、工事前の便器（壁排水タイプ）の使用状態を説明する図である。
【図５Ｂ】図５Ｂは、本実施形態に係る共用排水管の交換方法において、便器（壁排水タイプ）を移設する工程を説明する図である。
【図５Ｃ】図５Ｃは、本実施形態に係る共用排水管の交換方法において、移設した便器（壁排水タイプ）を使用する状態を説明する図である。
【図６Ａ】図６Ａは、本実施形態に係る共用排水管の交換方法において、仮設ホースの設置方法の例を説明する図である。
【図６Ｂ】図６Ｂは、本実施形態に係る共用排水管の交換方法において、仮設ホースの設置方法の例を説明する図である。
【図６Ｃ】図６Ｃは、本実施形態に係る共用排水管の交換方法において、仮設ホースの設置方法の例を説明する図である。
【図７Ａ】図７Ａは、本実施形態に係る共用排水管の交換方法において、仮設共用排水管の設置方法の例を説明する図である。
【図７Ｂ】図７Ｂは、本実施形態に係る共用排水管の交換方法において、仮設共用排水管の設置方法の例を説明する図である。
【図７Ｃ】図７Ｃは、本実施形態に係る共用排水管の交換方法において、仮設共用排水管の設置方法の例を説明する図である。
【図８】図８は、本実施形態に係る共用排水管の交換方法において使用する汚水圧送ポンプの例を説明する図である。
【発明を実施するための形態】
【００１７】
以下、本発明に係る共用排水管の交換方法の実施形態に関して、添付の図面を参照しながら詳細に説明する。なお、この実施形態は、例示であって、本発明を何等限定するものではないことを承知されたい。
【００１８】
図１を参照して、本発明による共用排水管の交換方法の概念を説明する。本実施形態によると、基本的に４つの工程を含む。第１の工程Ｓ１では、仮共用排水管を設定する。仮共用排水管は、交換対象の共用排水管の一時的代替の役割を有する立て管である。工事中は、この仮共用排水管を使用する。第１の工程Ｓ１には、２つの方法が可能である。第１の方法では、仮設共用排水管を設置し、それを仮共用排水管として使用する。仮設共用排水管は、高層集合住宅の外側に、その外壁に沿って設ける。第２の方法では、同一集合住宅内の既存の他の共用排水管を、仮共用排水管として使用する。例えば、隣接する他の共用排水管を仮共用排水管として使用してよい。既存の他の共用排水管の利用が困難な場合には、第１の方法を用いる。
【００１９】
第２の工程Ｓ２では、自宅内に仮便器を設定する。仮便器は、交換工事中に居住者が使用するものである。第２の工程Ｓ２には、２つの方法が可能である。第１の方法では、自宅のトイレ室の便器を他の場所に移設し、それを仮便器として使用する。第２の方法では、自宅の便器とは別の仮設用便器を居住者の自宅内の適当な場所に設置し、それを仮便器として使用する。仮設用便器として、市販の簡易型の便器を用いてもよい。尚、第２の方法でも、工事中は自宅のトイレ室の便器を適当な場所に移動させる必要がある。
【００２０】
第３の工程Ｓ３では、共用排水管を交換する。旧い共用排水管を除去し、新しい共用排水管を設置する。後に説明するが、第３の工程Ｓ３は、各階で同時に実行する。
【００２１】
第４の工程Ｓ４では、便器を復旧する。第２の工程Ｓ２にて他の場所に移転した便器を元の位置に戻す。元の位置に戻した便器を新しい共用排水管に接続する。
【００２２】
図２を参照して、本発明による共用排水管の交換方法の一例を説明する。ここでは、図１の第１の工程Ｓ１において、仮共用排水管として、仮設排水管を設置し、第２の工程Ｓ２において、仮便器として自宅の便器を移設して利用する場合を説明する。本例では、３日で全ての工程を終了している。しかしながら、これは単なる例示であって、実際には、３日以上必要とする場合もあるし、３日以内で終了できる場合もある。
【００２３】
第１日目のステップ１０１にて、仮設共用排水管を設置する。仮設共用排水管は、交換対象の共用排水管の一時的代替の役割を有する立て管である。仮設共用排水管は、高層集合住宅の外側に、その外壁に沿って設ける。仮設共用排水管は、ベランダ側に設けてもよいが、共用廊下側に設けてもよい。仮設共用排水管の設置位置は、集合住宅の構造等によって決める。仮設共用排水管は、交換対象の共用排水管を使用する全ての住戸が使用できるように、集合住宅の最上階から地上まで延びている。仮設共用排水管の下端は、地上の既設の汚水桝に接続する。仮設共用排水管は、中口径の塩ビ管又はホースであってよい。尚、仮設共用排水管の設置方法は後に具体的に説明する。
【００２４】
ステップ１０２にて、住戸内の養生を行う。養生では、廊下、床、壁、天井、ベランダ等の工事に関係する場所をブルーシート、マスカー、マスキングテープなどで覆う。ステップ１０３にて、便器をトイレ室から同一住戸内の他の適当な場所に一時的に移設する。便器の移設場所は、浴室の洗い場、洗面室、キッチン等の専有領域内であればどこであってもよく、更に、トイレ室内の他の場所であってもよい。
【００２５】
ステップ１０４にて、便器からの汚水を排水するための汚水圧送ポンプ（汚水加圧ポンプ）を設置する。汚水圧送ポンプは、大口径の流入口と小口径の排出口を備えている。汚水圧送ポンプの排出口の径は10〜40mmであってよく、好ましくは20〜35mmであってよい。
【００２６】
汚水圧送ポンプの流入口を、便器の汚水排出口（ベント管側）に接続し、汚水圧送ポンプの排出口に仮設ホース又は仮設配管を接続する。仮設ホース又は仮設配管は、柔軟なホース又は塩ビ管であってよい。仮設ホース又は仮設配管は、トイレ室の窓、浴室の窓又はドア、キッチンの窓又は玄関ドアの郵便受けの開口等を介して、住戸の外側に設けられた仮設共用排水管に接続する。
【００２７】
こうして、便器を移設することにより、居住者は、以後、この便器を使用することができる。便器の使用後は、バケツによって便器内に水を投入する。それによって、汚水圧送ポンプは自動的に作動し、汚水を排出する。尚、近くの給水栓から便器のロータンク等に給水ホースを取付け、水洗浄式にしてもよい。また、温水洗浄便座の利用をしてもよい。便器の周囲にカーテン等の目隠しを設けてもよい。
【００２８】
ステップ１０５にて、交換対象の共用排水管の交換に必要な周囲の床、壁を解体する。ステップ１０６にて、共用排水管のスラブ貫通部のはつりを行う。即ち、必要に応じて、コンクリートの一部を削り取る。
【００２９】
第２日目のステップ２０１にて、共用排水管に接続されたトイレ排水管及び雑排水管を共用排水管から切り離す。必要に応じて、トイレ排水管及び雑排水管の一部を切断する。ステップ２０２にて、共用排水管を切断し、除去する。ステップ２０３にて、新しい共用排水管を敷設する。交換工事の対象となる全ての住戸にて新しい共用排水管を設置し、それらを接続する。それによって、１本の立て管からなる新しい共用排水管が形成される。ステップ２０４にて、新しい共用排水管に、トイレ排水管及び雑排水管を接続する。ステップ２０５にて、床、壁、天井等の修復し、清掃する。
【００３０】
第３日目のステップ３０１にて、便器を元の場所に戻す。便器と新しい共用排水管をトイレ排水管によって接続する。こうして、便器を元のトイレ室に戻すことにより、居住者は、以後トイレ室にて便器を使用することができる。ステップ３０２にて、仮設共用排水管を撤去する。仮設共用排水管の撤去は、これを使用している全ての階の住戸にて、便器の交換工事が終了してから行う。従って、仮設共用排水管の撤去は最後に行う。ステップ３０３にて、住宅内の養生及び清掃を行う。ステップ３０４にて、工事引き渡しを行う。
【００３１】
本実施形態による共用排水管の交換方法によると、交換対象の共用排水管を使用する全ての階の住戸にて、全ての工程は出来るだけ同時的に進行させるのが好ましい。第１日目のステップ１０１にて仮設共用排水管を設置した後は、各住戸で、ステップ１０２〜１０６及びステップ２０１〜２０２の工程を実施することができる。しかしながら、第２日目のステップ２０３の新しい共用排水管を敷設する工程は、交換対象の共用排水管を使用する全て階の住戸にて、同時に実行する必要がある。
【００３２】
本実施形態では、交換対象の共用排水管の一時的代替として仮設排水管を設置する。しかしながら、図１の第１の工程Ｓ１にて説明したように、交換対象の共用排水管の一時的代替として、隣接する既存の共用排水管を利用してもよい。その場合には、仮設共用排水管を設置する必要はない。
【００３３】
更に、本実施形態では、自宅のトイレ室の便器を移設して、それを仮便器として使用する。しかしながら、図１の第１の工程Ｓ２にて説明したように、自宅内に別個に仮設用の便器を設置してもよい。仮設用の便器として各種の簡易便器が市販されている。仮設用の便器を用いる場合でも、交換工事の作業上の理由から、トイレ室の便器の移動は必要である。
【００３４】
図３Ａは、共用排水管の交換を行う高層集合住宅の住戸の一部の平面構成の例を示す。この住戸は、トイレ室１、浴室２、洗面室３、キッチン４、ベランダ又はバルコニー５、玄関６、及び、居室７を有する。玄関６には玄関ドア６５が設けられている。玄関ドア６５の外側には、共用廊下９Ａが設けられている。共用廊下９Ａには、階下に通ずる共用階段９Ｂ、共用踊り場９Ｃ、及び、共用階段９Ｄが接続されている。
【００３５】
トイレ室１の内部には便器１１が設けられ、入口にはトイレ室ドア１５が設けられている。浴室２の内部にはバスタブ２１が設けられている。また浴室２の入口には浴室ドア２５が設けられ、壁には浴室窓２６が設けられている。洗面室３には、洗面台３１と洗濯パン３２が設けられている。洗面室３の壁には、洗面室窓３６が設けられている。キッチン４には、流し台（シンク）４１が設けられている。キッチン４の壁には、キッチン窓４６が設けられている。洗面室３とキッチン４の南側には、ベランダ又はバルコニー５が形成されている。ベランダ５と洗面室３を接続する洗面室窓３６の代わりに、洗面室ドアが設けられてもよい。ベランダ５とキッチン４を接続するキッチン窓４６の代わりに、キッチンドアが設けられてもよい。
【００３６】
配管系について説明する。浴室２の縁に、共用排水管１０１が設けられている。共用排水管１０１は、最上階の住戸から最下階の住戸を貫通する立て管である。尚、共用排水管１０１は、本例のように浴室２内に設けてもよいが、他の場所、例えば、洗面室３に設けてもよい。共用排水管１０１には、便器１１に接続されたトイレ排水管１１１と、トイレ汚水以外の雑排水のための雑排水管１１２が接続されている。トイレ排水管１１１と雑排水管１１２は略水平に配置された横管である。雑排水管１１２には、枝管として、浴室２のバスタブ２１及び浴室排水口に接続された浴室排水管１２１、洗面台３１に接続された洗面排水管１３１、洗濯パン３２に接続された洗濯パン排水管１３２、及び、流し台４１に接続された流し台排水管１４１が接続されている。
【００３７】
図３Ｂを参照して、本発明による共用排水管の交換方法の実施態様を説明する。ここでは、交換対象の共用排水管の一時的代替として仮設共用排水管を設置し、便器を一時的に移設する方法を説明する。
【００３８】
本実施形態の共用排水管の交換方法では、先ず、立て管である仮設共用排水管１０２を設置する。仮設共用排水管１０２は、高層集合住宅の外壁に沿って垂直方向に設ける。仮設共用排水管は、ベランダ側に設けてもよいが、共用廊下側や階段室に設けてもよい。図３Ｂの例では、ベランダ５の外面に沿って設置している。仮設共用排水管１０２は、最上階から地上まで垂直に延ばす。仮設共用排水管１０２の下端は、地上の既設汚水桝に接続する。
【００３９】
次に、便器１１をトイレ室１から同一住戸内の他の適当な位置に移設する。図３Ｂの例では、便器１１を洗面室３に移設している。更に、便器１１の近くに汚水圧送ポンプ１２を設置する。上述のように、汚水圧送ポンプ１２の流入口を、便器１１の汚水排出口（ベント管側）に接続し、汚水圧送ポンプ１２の排出口に仮設ホース１０３又は仮設配管を接続する。仮設ホース１０３は、洗面室３の洗面室窓３６を経由し、ベランダ５まで延ばし、更に仮設共用排水管１０２に接続する。尚、近くの給水栓から便器のロータンク等に給水ホースを取付け、水洗浄式にしてもよい。また、温水洗浄便座の利用をしてもよい。便器の周囲にカーテン等の目隠しを設けてもよい。
【００４０】
こうして、居住者は、共用排水管の交換工事中、同一住戸内にて、便器１１を使用することができる。便器１１の使用後は、便器１１内にバケツ等により水を投入すればよい。汚水圧送ポンプ１２は自動的に作動し、汚水を流すことができる。
【００４１】
ここでは、共用排水管の交換工事中、浴室２、洗面室３、及び、キッチン４を使用しないこととしている。しかしながら、共用排水管の交換工事中に、浴室２、洗面室３、及び、キッチン４を使用したい場合には、更に雑排水圧送ポンプを設置すればよい。雑排水管１１２の端部に雑排水圧送ポンプの流入口を接続し、雑排水圧送ポンプの排出口に仮設ホース又は仮設配管を接続する。仮設ホース又は仮設配管を仮設共用排水管１０２に接続する。
【００４２】
図３Ｃを参照して、本発明による共用排水管の交換方法の他の実施態様を説明する。ここでは、交換対象の共用排水管の一時的代替として仮設共用排水管を設置し、自宅の便器とは別個に仮設用便器を設置する方法を説明する。
【００４３】
本実施形態の共用排水管の交換方法では、先ず、立て管である仮設共用排水管１０２を設置する。これについては図３Ｂを参照して説明した。次に、仮設用の便器１４を同一住戸内の適当な場所に設置する。仮設用の便器１４は、簡易型便器であってもよいが、通常の便器と同様な形状の便器であってもよい。図３Ｃの例では、仮設用の便器１４を洗面室３に設置している。次に、便器１４の近くに汚水圧送ポンプ１２を設置する。上述のように、汚水圧送ポンプ１２の流入口を、便器１１の汚水排出口（ベント管側）に接続し、汚水圧送ポンプ１２の排出口に仮設ホース１０３又は仮設配管を接続する。仮設ホース１０３を仮設共用排水管１０２に接続する。
【００４４】
こうして、居住者は、共用排水管の交換工事中、同一住戸内にて、仮設用の便器１４を使用することができる。尚、トイレ室の便器１１は、同一住戸内の適当な場所に移動する。図３Ｃの例ではトイレ室内に移動しているが、これは単なる例示であり、移動先の場所はどこでもよい。
【００４５】
図４Ａ〜図４Ｃを参照して便器１１の移設工事を説明する。本例の便器１１は、床排水タイプである。図４Ａは、共用排水管の交換工事前に、居住者が、トイレ室１の便器１１を使用している状態を示す。便器１１は、床下のトイレ排水管１１１を介して交換対象の共用排水管１０１に接続されている。
【００４６】
図４Ｂは、共用排水管の交換工事にて、仮設共用排水管１０２を設置し、交換対象の共用排水管１０１よりトイレ排水管１１１を切断し、トイレ室１の便器１１を移設する状態を示す。仮設共用排水管１０２は塩ビ管又はホースであってよい。仮設共用排水管１０２には、仮設ホース１０３を接続するためのＴ字型継手（チーズ継手）１０２Ａが設けられている。
【００４７】
図４Ｃは、共用排水管の交換工事中に、居住者が、移設された便器１１を使用している状態を示す。便器１１に汚水圧送ポンプ１２が接続されている。床排水タイプの便器１１では、下側に汚水排出口があるため、便器１１の下に適当な台１３を設置する。汚水圧送ポンプ１２は、仮設ホース１０３を介して仮設共用排水管１０２のＴ字型継手（チーズ継手）１０２Ａに接続されている。図示の例では、Ｔ字型継手（チーズ継手）１０２Ａは、便器１１より上側に配置されている。汚水圧送ポンプ１２は、便器１１からの汚水を、所定の圧力にて圧送することができる。従って、汚水圧送ポンプ１２の排出側の位置は流入側の位置より高くても低くてもよく、仮設ホース１０３は必ずしも水平に配置する必要はない。
【００４８】
図５Ａ〜図５Ｃを参照して便器１１の移設工事を説明する。本例の便器１１は、壁排水タイプである。図５Ａは、共用排水管の交換工事前に、居住者が、トイレ室１の便器１１を使用している状態を示す。便器１１は、壁を貫通するトイレ排水管１１１を介して交換対象の共用排水管１０１に接続されている。
【００４９】
図５Ｂは、共用排水管の交換工事にて、仮設共用排水管１０２を設置し、交換対象の共用排水管１０１よりトイレ排水管１１１を切断し、トイレ室１の便器１１を移設する状態を示す。仮設共用排水管１０２については図４Ｂを参照して説明した。
【００５０】
図５Ｃは、共用排水管の交換工事中に、居住者が、移設された便器１１を使用している状態を示す。汚水圧送ポンプ１２及びそれに接続された仮設ホース１０３については図４Ｂを参照して説明した。
【００５１】
図６Ａ、図６Ｂ及び図６Ｃを参照して、仮便器に接続された仮設ホース１０３の設置方法を説明する。仮便器は、移設された便器１１（図３Ｂ）又は仮設用の便器１４（図３Ｃ）である。上述のように、仮設共用排水管１０２は、集合住宅のベランダ側に設けてもよいが、共用廊下側に設けてもよい。ここでは、仮設共用排水管１０２を、共用廊下側に設けた場合を説明する。図６Ａの例では、仮便器に接続された仮設ホース１０３は、玄関ドア６５の郵便受け６５Ａの開口を介して共用廊下まで延び、更に、仮設共用排水管１０２（図示無し）に接続されている。図６Ｂの例では、仮便器に接続された仮設ホース１０３は、キッチン窓４６を介して共用廊下まで延び、仮設共用排水管１０２（図示無し）に接続されている。図６Ｃの例では、仮便器に接続された仮設ホース１０３は、洗面室窓３６を介して共用廊下まで延び、仮設共用排水管１０２（図示無し）に接続されている。
【００５２】
図７Ａ、図７Ｂ及び図７Ｃを参照して、仮設共用排水管の設置方法を説明する。図７Ａの例では、仮設共用排水管１０２を集合住宅１０のベランダ５側の壁面に沿って設置している。仮設共用排水管１０２の下端は、地上の既設の汚水桝６６に接続される。住戸内の適当な場所に移設された便器１１に汚水圧送ポンプ１２が接続されている。汚水圧送ポンプ１２の排出口に接続された仮設ホース１０３は、ベランダ５を経由して仮設共用排水管１０２に接続されている。
【００５３】
図７Ｂの例では、仮設共用排水管１０２を集合住宅１０の共用廊下９Ａ側の壁面に沿って設置している。仮設共用排水管１０２の下端は、地上の既設の汚水桝６６に接続される。住戸内の適当な場所に移設された便器１１に汚水圧送ポンプ１２が接続されている。汚水圧送ポンプ１２の排出口に接続された仮設ホース１０３は、共用廊下９Ａを経由して仮設共用排水管１０２に接続されている。
【００５４】
図７Ｃの例では、仮設共用排水管１０２を集合住宅１０の窓が設けられた壁面に沿って設置している。仮設共用排水管１０２の下端は、地上の既設の汚水桝６６に接続される。住戸内の適当な場所に移設された便器１１に汚水圧送ポンプ１２が接続されている。汚水圧送ポンプ１２の排出口に接続された仮設ホース１０３は、窓１６を経由して仮設共用排水管１０２に接続されている。
【００５５】
ここでは、仮設共用排水管１０２の設置方法として３つの場合を説明したが、仮設共用排水管１０２の設置位置は、集合住宅の構造、周囲の構造及び環境等によって異なる。例えば、仮設共用排水管１０２を外側非常階段又は踊り場の壁に沿って設置してもよい。
【００５６】
ここでは、移設した便器１１を用いる場合を説明したが、図１の第１の工程Ｓ２で説明したように、仮設用の便器を使用する場合も同様である。
【００５７】
図８は、移設した便器１１に接続された汚水圧送ポンプ１２の例を示す。汚水圧送ポンプ１２として、例えば、フランスSFA社から「サニポンプ」（登録商標）として市販されている小型ポンプを用いてもよい。汚水圧送ポンプ１２の流入口に便器１１の排出口を接続し、汚水圧送ポンプ１２の排出口に仮設ホース１０３又は仮設配管を接続する。汚水圧送ポンプ１２には回転式破砕カッターが設けられ、トイレットペーパー及び汚物を破砕する。仮設ホース１０３の排出端が便器１１より上側に配置されている場合でも、汚水を圧送することができる。便器１１の使用後に、バケツ等により便器１１に水を投入すればよい。汚水圧送ポンプ１２は自動的に作動し、汚水が排出される。便器１１のロータンク等に水道の蛇口等に接続されたホースを経由して、給水を行ってもよい。
【００５８】
以上、本発明の実施の形態を説明したが、本発明の範囲はこれらの実施の形態によって制限されるものではなく、特許請求の範囲に記載された発明の範囲にて様々な変更が可能であることは当業者であれば容易に理解されよう。
【符号の説明】
【００５９】
１…トイレ室、２…浴室、３…洗面室、４…キッチン、５…ベランダ又はバルコニー、６…玄関、７…居室、９Ａ…共用廊下、９Ｂ…共用階段、９Ｃ…共用踊り場、９Ｄ…共用階段、１０…集合住宅、１１…便器、１２…汚水圧送ポンプ、１３…台、１４…仮設用便器、１５…トイレ室ドア、１６…窓、２１…バスタブ、２５…浴室ドア、２６…浴室窓、３１…洗面台、３２…洗濯パン、３６…洗面室窓、４１…流し台（シンク）、４６…キッチン窓、６５…玄関ドア、６５Ａ…郵便受け、６６…汚水桝、１０１…共用排水管、１０２…仮設共用排水管、１０２Ａ…Ｔ字型継手（チーズ継手）、１０３…仮設ホース、１１１…トイレ排水管、１１２…雑排水管、１２１…浴室排水管、１３１…洗面排水管、１３２…洗濯パン排水管、１４１…流し台排水管
【図１】
2014227813.tif 000003
【図２】
2014227813.tif 000004
【図３Ａ】
2014227813.tif 000005
【図３Ｂ】
2014227813.tif 000006
【図３Ｃ】
2014227813.tif 000007
【図４Ａ】
2014227813.tif 000008
【図４Ｂ】
2014227813.tif 000009
【図４Ｃ】
2014227813.tif 000010
【図５Ａ】
2014227813.tif 000011
【図５Ｂ】
2014227813.tif 000012
【図５Ｃ】
2014227813.tif 000013
【図６Ａ】
2014227813.tif 000014
【図６Ｂ】
2014227813.tif 000015
【図６Ｃ】
2014227813.tif 000016
【図７Ａ】
2014227813.tif 000017
【図７Ｂ】
2014227813.tif 000018
【図７Ｃ】
2014227813.tif 000019
【図８】
2014227813.tif 000020